(57)【要約】【課題】表示装置の消費電力を減少させ、それと同時に輝度を向上させる表示装置及びその駆動方法を提供する。【解決手段】少なくとも二つの表示板と、前記表示板に光を供給する複数の光源と、外部から印加され、前記表示板のうちの一つの表示板を選択する表示板選択信号状態によって前記複数の光源の中から所定個数の光源を選択した後、前記選択された所定個数の光源を点灯させて、前記少なくとも二つの表示板の両方に光を供給する光源制御部とを備える。【選択図】図１
2006072371.tif 000002
【特許請求の範囲】
【請求項１】
少なくとも二つの表示板と、
前記表示板に光を供給する複数の光源と、
外部から印加され、前記表示板のうちの一つの表示板を選択する表示板選択信号状態によって前記複数の光源の中から所定個数の光源を選択した後、前記選択された所定個数の光源を点灯させて、前記少なくとも二つの表示板の両方に光を供給する光源制御部とを備えることを特徴とする表示装置。
【請求項２】
前記表示板は、第１表示板と第２表示板とを有し、前記第１表示板が前記第２表示板より大きいことを特徴とする請求項１に記載の表示装置。
【請求項３】
前記選択された所定個数の光源は、前記第２表示板の一側周縁と対向する光源であることを特徴とする請求項２に記載の表示装置。
【請求項４】
前記光源制御部は、前記表示板選択信号によって選択された表示板が前記第２表示板である場合の選択された光源の個数が、前記第１表示板が選択されたときの個数より少ないことを特徴とする請求項２に記載の表示装置。
【請求項５】
前記表示装置は液晶表示装置であることを特徴とする請求項１乃至請求項４のいずれか一項に記載の表示装置。
【請求項６】
前記光源は、発光ダイオードであることを特徴とする請求項１に記載の表示装置。
【請求項７】
複数の光源と、前記光源に接続されている第１リード線と、複数の第２リード線とを備える第１印刷回路基板と、
前記第１リード線に接続されている第１信号線と、前記複数の第２リード線に接続されている複数の第２信号線とを備えるＦＰＣ（Ｆｌｅｘｉｂｌｅ  Ｐｒｉｎｔｅｄ  Ｃｉｒｃｕｉｔ）基板と、
前記第１信号線に接続されている第３リード線と、前記複数の第２信号線に接続されている第４リード線とを備える第２印刷回路基板と、
前記第３リード線に第１電圧を供給し、前記第４リード線に第２電圧を供給し、外部からの表示板選択信号に基づいて前記第２電圧の供給を制御する光源制御部と、
前記光源からの光の供給を同時に受ける第１及び第２表示板とを備え、
前記光源制御部は前記第２印刷回路基板に装着され、
前記光源は、前記第１電圧と前記第２電圧の差によって点滅し、前記第１及び第２表示板に光を供給することを特徴とする表示装置。
【請求項８】
前記第１電圧は前記第２電圧より大きいことを特徴とする請求項７に記載の表示装置。
【請求項９】
前記光源は、発光ダイオードであることを特徴とする請求項７に記載の表示装置。
【請求項１０】
前記第１電圧は、前記発光ダイオードの一側端子に共通に伝達され、前記第２電圧は、前記発光ダイオードの他側端子にそれぞれ伝達され、
前記光源制御部は、前記表示板選択信号に基づいて前記各発光ダイオードの他側端子に印加する前記第２電圧の供給状態を制御することを特徴とする請求項９に記載の表示装置。
【請求項１１】
少なくとも二つの表示板及び前記表示板に光を供給する複数の光源を備える表示装置の駆動方法であって、
外部からの表示板選択信号を読み取る段階と、
前記表示板選択信号に基づいて前記少なくとも二つの表示板のうちの一つの表示板を選択する段階と、
前記選択された表示板に応じて所定個数の光源を選択する段階と、
前記選択された光源を点灯させて、前記少なくとも二つの表示板の両方に光を供給する段階とを有することを特徴とする表示装置の駆動方法。
【請求項１２】
前記表示板は第１表示板と第２表示板とを有し、前記第１表示板が前記第２表示板より大きいことを特徴とする請求項１１に記載の表示装置の駆動方法。
【請求項１３】
前記所定個数の光源を選択する段階は、前記表示板選択信号に基づいて選択された表示板が前記第２表示板である場合、前記第１表示板が選択された場合より前記選択された光源の個数を減らすことを特徴とする請求項１２に記載の表示装置の駆動方法。
【請求項１４】
第１表示板及び第２表示板と、前記第１及び第２表示板に光を同時に供給する複数の光源とを備える表示装置であって、
前記表示装置の開閉程度によって出力信号が変化する開閉感知部と、
前記開閉感知部からの信号に基づいて前記第１及び第２表示板のうちの一つの表示板を選択し、前記選択された表示板によって点灯する光源の個数を決め、決められた個数の光源を点灯させて、前記第１及び第２表示板の両方に光を供給する光源制御部とを備えることを特徴とする表示装置。
【請求項１５】
前記第１表示板が前記第２表示板より大きく、
前記光源制御部は、前記開閉感知部からの信号によって選択された表示板が前記第２表示板である場合の選択された光源の個数が、前記第１表示板が選択された場合の個数より少ないことを特徴とする請求項１４に記載の表示装置。
【請求項１６】
前記表示装置は、携帯電話用であることを特徴とする請求項１５に記載の表示装置。
【請求項１７】
前記光源は、発光ダイオードであることを特徴とする請求項１４乃至請求項１６のいずれか一項に記載の表示装置。
【請求項１８】
少なくとも二つの表示板と、
前記表示板に光を供給する複数の光源と、
外部から印加され前記表示板のうちの一つの表示板を選択する表示板選択信号の状態によって前記光源に印加する信号を変更し、前記光源から出射される光の強さを変化させ、前記少なくとも二つの表示板の両方に光を供給する光源制御部とを備えることを特徴とする表示装置。
【請求項１９】
前記光源制御部は、前記複数の光源のうちの所定個数の光源を選択した後、前記選択された所定個数以外の光源に印加する信号の大きさを変更し、前記光の強さを変化させることを特徴とする請求項１８に記載の表示装置。
【請求項２０】
前記光源制御部は、前記複数の光源のうちの所定個数の光源を選択した後、前記選択された所定個数の光源のみを点灯させて、前記光の強さを変化させることを特徴とする請求項１８に記載の表示装置。
【請求項２１】
前記表示板は第１表示板と第２表示板とを有し、前記第１表示板は前記第２表示板より大きいことを特徴とする請求項１８に記載の表示装置。
【請求項２２】
前記選択された所定個数の光源は、前記第２表示板の一側周縁と対向する光源であることを特徴とする請求項１９又は２０に記載の表示装置。
【請求項２３】
前記光源は、発光ダイオードであることを特徴とする請求項１８に記載の表示装置。
【請求項２４】
少なくとも二つの表示板と、該表示板を介在して対向して配置され表示板に光を供給する複数の光源とを備える表示装置であって、
外部から印加され、前記表示板のうちの一つの表示板を選択する表示板選択信号の状態によって前記複数の光源のうちの所定の光源を選択した後、前記選択された所定の光源を点灯させて、前記二つの表示板の少なくとも各一側面の方向から光を供給する光源制御部を備えることを特徴とする表示装置。
【請求項２５】
前記表示板は第１表示板と第２表示板とを有し、前記第１表示板は前記第２表示板より大きいことを特徴とする請求項２４に記載の表示装置。
【請求項２６】
前記光源制御部は、前記表示板選択信号によって選択された表示板が前記第１表示板である場合、前記第１表示板の相互に対向する両側面に光を供給することを特徴とする請求項２５に記載の表示装置。
【請求項２７】
前記光源制御部は、前記表示板選択信号によって選択された表示板が前記第２表示板である場合、前記第２表示板の一側面の方向からのみ光を供給することを特徴とする請求項２５に記載の表示装置。
【請求項２８】
前記表示板は液晶表示パネルであることを特徴とする請求項２４に記載の表示装置。
【請求項２９】
前記光源は、発光ダイオードであることを特徴とする請求項２４に記載の表示装置。
【請求項３０】
複数の光源と、前記光源に接続されている第１リード線と、複数の第２リード線とを備える第１印刷回路基板と、
前記第１リード線に接続されている第１信号線と、前記複数の第２リード線に接続されている複数の第２信号線とを備えるＦＰＣ基板と、
前記第１信号線に接続されている第３リード線と、前記複数の第２信号線に接続されている第４リード線とを備える第２印刷回路基板と、
前記第３リード線に第１電圧を供給し、前記第４リード線に第２電圧を供給し、外部からの表示板選択信号に基づいて前記第２電圧の供給を制御する光源制御部と、
前記光源からの光の供給を受ける第１表示板及び第２表示板とを備え、
前記光源制御部は前記第２印刷回路基板に取り付けられ、
前記光源は、前記第１及び第２表示板を介在して対向して配置され前記第１及び第２表示板に光を供給し、前記第１電圧と前記第２電圧の差によって点滅して、前記第１表示板及び前記第２表示板に光を供給するものであり、前記光源の一部は、前記第１表示板にのみ光を供給することを特徴とする表示装置。
【請求項３１】
前記第１電圧は前記第２電圧より大きいことを特徴とする請求項３０に記載の表示装置。
【請求項３２】
前記光源は、発光ダイオードであることを特徴とする請求項３０に記載の表示装置。
【請求項３３】
前記第１電圧は、前記発光ダイオードの一側端子に共通に伝達され、前記第２電圧は、前記発光ダイオードの他側端子にそれぞれ伝達され、
前記光源制御部は、前記表示板選択信号に基づいて前記各発光ダイオードの他側端子に印加する前記第２電圧の供給状態を制御することを特徴とする請求項３２に記載の表示装置。
【請求項３４】
少なくとも二つの表示板と、前記表示板を介在して対向して配置され前記表示板に光を供給する複数の光源を備える表示装置の駆動方法であって、
外部からの表示板選択信号を読み取る段階と、
前記表示板選択信号に基づいて前記少なくとも二つの表示板のうちの一つの表示板を選択する段階と、
前記選択された表示板に基づいて所定の光源を選択する段階と、
前記選択された光源を点灯させて、前記表示板の少なくとも各一側面の方向から光を供給する段階とを有することを特徴とする表示装置の駆動方法。
【請求項３５】
前記表示板は第１表示板と第２表示板とを有し、前記第１表示板は前記第２表示板より大きいことを特徴とする請求項３４に記載の表示装置の駆動方法。
【請求項３６】
前記所定の光源を選択する段階は、前記表示板選択信号に基づいて選択された表示板が前記第１表示板である場合、前記第１表示板の相互に対向する両側面の方向から光を供給することを特徴とする請求項３５に記載の表示装置の駆動方法。
【請求項３７】
第１表示板及び第２表示板と、前記第１表示板及び第２表示板をそれぞれ介在して対向して配置され前記表示板に光を供給する複数の光源を備える表示装置であって、
前記表示装置の開閉程度によって出力信号が変化する開閉感知部と、
前記開閉感知部からの信号に基づいて前記第１表示板及び第２表示板のうちの一つの表示板を選択し、前記選択された表示板によって点灯する光源を選択し、前記選択された光源を点灯させて、前記第１表示板及び第２表示板の少なくとも各一側面の方向から光を供給する光源制御部とを備えることを特徴とする表示装置。
【請求項３８】
前記第１表示板は前記第２表示板より大きく、
前記光源制御部は、前記開閉感知部からの信号によって選択された表示板が前記第１表示板である場合、前記第１表示板の相互に対向する両側面の方向から光を供給することを特徴とする請求項３７に記載の表示装置。
【請求項３９】
前記表示装置は、携帯電話用であることを特徴とする請求項３８に記載の表示装置。
【請求項４０】
前記光源は、発光ダイオードであることを特徴とする請求項３７に記載の表示装置。
【請求項４１】
少なくとも二つの表示板と、前記表示板を介在して対向して配置され前記表示板に光を供給する複数の光源を備える表示装置であって、
外部から印加され、前記表示板のうちの一つの表示板を選択する表示板選択信号の状態によって前記光源に印加する信号を変更して前記光源から出射される光の強さを変化させ、前記少なくとも二つの表示板の少なくとも各一側面の方向から光を供給する光源制御部を備えることを特徴とする表示装置。
【請求項４２】
前記光源制御部は、前記複数の光源のうちの所定の光源を選択した後、前記選択された所定光源以外の光源に印加する信号の大きさを変更して前記光の強さを変化させることを特徴とする請求項４１に記載の表示装置。
【請求項４３】
前記光源制御部は、前記複数の光源のうちの所定の光源を選択した後、前記選択された所定の光源のみを点灯させて、前記光の強さを変化させることを特徴とする請求項４１に記載の表示装置。
【請求項４４】
前記表示板は第１表示板と第２表示板とを有し、前記第１表示板は前記第２表示板より大きいことを特徴とする請求項４１に記載の表示装置。
【請求項４５】
前記選択された所定の光源は、前記第１表示板を介在して互いに対向するよう位置することを特徴とする請求項４４に記載の表示装置。
【請求項４６】
前記光源は、発光ダイオードであることを特徴とする請求項４１に記載の表示装置。
【発明の詳細な説明】
【技術分野】
【０００１】
本発明は、表示装置及び表示装置の駆動方法に関し、特に、表示装置の消費電力を減少させ、同時に輝度を向上させることのできる表示装置及び表示装置の駆動方法に関する。
【背景技術】
【０００２】
近年、重くて大きい陰極線管（ＣＲＴ）に代わって有機発光表示装置（ＯＬＥＤ）、プラズマ表示装置（ＰＤＰ）、自ら発光できず、光源を必要とする液晶表示装置（ＬＣＤ）のような平板表示装置の開発が進んでいる。
このような平板表示装置の中で特に携帯電話などに使用される中小型表示装置として、外部と内部に各々表示板を備えている、いわゆるデュアル表示装置の開発が進んでいる。
【０００３】
このようなデュアル表示装置は、内部に装着されるメイン表示板、外部に装着されるサブ表示板、外部からの信号の印加を受け、複数の回路要素が装着された印刷回路基板（ＰＣＢ）、信号を伝達する複数の信号線が形成され、印刷回路基板に接続されてメイン表示板とサブ表示板に信号を伝達する可撓性印刷回路（ＦＰＣ：Ｆｌｅｘｉｂｌｅ  Ｐｒｉｎｔｅｄ  Ｃｉｒｃｕｉｔ）基板、並びにこれらを制御する統合チップを備える。
統合チップは、メイン表示板とサブ表示板を制御するための制御信号と駆動信号などを生成し、主にメイン表示板にＣＯＧ（ｃｈｉｐ  ｏｎ  ｇｌａｓｓ）形態で取り付けられている。
【０００４】
このような中小型表示装置が装着される製品は大概、携帯用機器であり、一定量の電圧を充電した携帯用電源供給装置によって動作に必要な電圧を供給する。ところが、様々な機能やサービスなどが追加され、処理すべきデータ量が増加するにつれて消費電力も大きく増加し、充電電圧の消耗が早い。しかし、製品特性上、容積及び重量を大幅に増加させることができないので、電源供給装置の容量を増加させるには限界があるという問題があった。
【発明の開示】
【発明が解決しようとする課題】
【０００５】
そこで、本発明は上記従来の表示装置及びその駆動方法における問題点に鑑みてなされたものであって、本発明の目的は、表示装置の消費電力を減少させ、それと同時に輝度を向上させる表示装置及びその駆動方法を提供することにある。
【課題を解決するための手段】
【０００６】
上記目的を達成するためになされた本発明による表示装置は、少なくとも二つの表示板と、前記表示板に光を供給する複数の光源と、外部から印加され、前記表示板のうちの一つの表示板を選択する表示板選択信号状態によって前記複数の光源の中から所定個数の光源を選択した後、前記選択された所定個数の光源を点灯させて、前記少なくとも二つの表示板の両方に光を供給する光源制御部とを備えることを特徴とする。
【０００７】
前記表示板は、第１表示板と第２表示板とを有し、前記第１表示板が前記第２表示板より大きいことが好ましい。
前記選択された所定個数の光源は、前記第２表示板の一側周縁と対向する光源であることが好ましい。
前記光源制御部は、前記表示板選択信号によって選択された表示板が前記第２表示板である場合の選択された光源の個数が、前記第１表示板が選択されたときの個数より少ないことが好ましい。
前記表示装置は液晶表示装置であることが好ましい。
前記光源は、発光ダイオードであることが好ましい。
【０００８】
また、上記目的を達成するためになされた本発明による表示装置は、複数の光源と、前記光源に接続されている第１リード線と、複数の第２リード線とを備える第１印刷回路基板と、前記第１リード線に接続されている第１信号線と、前記複数の第２リード線に接続されている複数の第２信号線とを備えるＦＰＣ（Ｆｌｅｘｉｂｌｅ  Ｐｒｉｎｔｅｄ  Ｃｉｒｃｕｉｔ）基板と、前記第１信号線に接続されている第３リード線と、前記複数の第２信号線に接続されている第４リード線とを備える第２印刷回路基板と、前記第３リード線に第１電圧を供給し、前記第４リード線に第２電圧を供給し、外部からの表示板選択信号に基づいて前記第２電圧の供給を制御する光源制御部と、前記光源からの光の供給を同時に受ける第１及び第２表示板とを備え、前記光源制御部は前記第２印刷回路基板に装着され、前記光源は、前記第１電圧と前記第２電圧の差によって点滅し、前記第１及び第２表示板に光を供給することを特徴とする。
【０００９】
前記第１電圧は前記第２電圧より大きいことが好ましい。
前記光源は、発光ダイオードであることが好ましい。
前記第１電圧は、前記発光ダイオードの一側端子に共通に伝達され、前記第２電圧は、前記発光ダイオードの他側端子にそれぞれ伝達され、前記光源制御部は、前記表示板選択信号に基づいて前記各発光ダイオードの他側端子に印加する前記第２電圧の供給状態を制御することが好ましい。
【００１０】
上記目的を達成するためになされた本発明による表示装置の駆動方法は、少なくとも二つの表示板及び前記表示板に光を供給する複数の光源を備える表示装置の駆動方法であって、外部からの表示板選択信号を読み取る段階と、前記表示板選択信号に基づいて前記少なくとも二つの表示板のうちの一つの表示板を選択する段階と、前記選択された表示板に応じて所定個数の光源を選択する段階と、前記選択された光源を点灯させて、前記少なくとも二つの表示板の両方に光を供給する段階とを有することを特徴とする。
【００１１】
前記表示板は第１表示板と第２表示板とを有し、前記第１表示板が前記第２表示板より大きいことが好ましい。
前記所定個数の光源を選択する段階は、前記表示板選択信号に基づいて選択された表示板が前記第２表示板である場合、前記第１表示板が選択された場合より前記選択された光源の個数を減らすことが好ましい。
【００１２】
また、上記目的を達成するためになされた本発明による表示装置は、第１表示板及び第２表示板と、前記第１及び第２表示板に光を同時に供給する複数の光源とを備える表示装置であって、前記表示装置の開閉程度によって出力信号が変化する開閉感知部と、前記開閉感知部からの信号に基づいて前記第１及び第２表示板のうちの一つの表示板を選択し、前記選択された表示板によって点灯する光源の個数を決め、決められた個数の光源を点灯させて、前記第１及び第２表示板の両方に光を供給する光源制御部とを備えることを特徴とする。
【００１３】
前記第１表示板が前記第２表示板より大きく、前記光源制御部は、前記開閉感知部からの信号によって選択された表示板が前記第２表示板である場合の選択された光源の個数が、前記第１表示板が選択された場合の個数より少ないことが好ましい。
前記表示装置は、携帯電話用であることが好ましい。
前記光源は、発光ダイオードであることが好ましい。
【００１４】
また、上記目的を達成するためになされた本発明による表示装置は、少なくとも二つの表示板と、前記表示板に光を供給する複数の光源と、外部から印加され前記表示板のうちの一つの表示板を選択する表示板選択信号の状態によって前記光源に印加する信号を変更し、前記光源から出射される光の強さを変化させ、前記少なくとも二つの表示板の両方に光を供給する光源制御部とを備えることを特徴とする。
【００１５】
前記光源制御部は、前記複数の光源のうちの所定個数の光源を選択した後、前記選択された所定個数以外の光源に印加する信号の大きさを変更し、前記光の強さを変化させることが好ましい。
前記光源制御部は、前記複数の光源のうちの所定個数の光源を選択した後、前記選択された所定個数の光源のみを点灯させて、前記光の強さを変化させることが好ましい。
前記表示板は第１表示板と第２表示板とを有し、前記第１表示板は前記第２表示板より大きいことが好ましい。
前記選択された所定個数の光源は、前記第２表示板の一側周縁と対向する光源であることが好ましい。
前記光源は、発光ダイオードであることが好ましい。
【００１６】
また、上記目的を達成するためになされた本発明による表示装置は、少なくとも二つの表示板と、該表示板を介在して対向して配置され表示板に光を供給する複数の光源とを備える表示装置であって、外部から印加され、前記表示板のうちの一つの表示板を選択する表示板選択信号の状態によって前記複数の光源のうちの所定の光源を選択した後、前記選択された所定の光源を点灯させて、前記二つの表示板の少なくとも各一側面の方向から光を供給する光源制御部を備えることを特徴とする。
【００１７】
前記表示板は第１表示板と第２表示板とを有し、前記第１表示板は前記第２表示板より大きいことが好ましい。
前記光源制御部は、前記表示板選択信号によって選択された表示板が前記第１表示板である場合、前記第１表示板の相互に対向する両側面の方向から光を供給することが好ましい。
前記光源制御部は、前記表示板選択信号によって選択された表示板が前記第２表示板である場合、前記第２表示板の一側面の方向からのみ光を供給することが好ましい。
前記表示板は液晶表示パネルであることが好ましい。
前記光源は、発光ダイオードであることが好ましい。
【００１８】
また、上記目的を達成するためになされた本発明による表示装置は、複数の光源と、前記光源に接続されている第１リード線と、複数の第２リード線とを備える第１印刷回路基板と、前記第１リード線に接続されている第１信号線と、前記複数の第２リード線に接続されている複数の第２信号線とを備えるＦＰＣ基板と、前記第１信号線に接続されている第３リード線と、前記複数の第２信号線に接続されている第４リード線とを備える第２印刷回路基板と、前記第３リード線に第１電圧を供給し、前記第４リード線に第２電圧を供給し、外部からの表示板選択信号に基づいて前記第２電圧の供給を制御する光源制御部と、前記光源からの光の供給を受ける第１表示板及び第２表示板とを備え、前記光源制御部は前記第２印刷回路基板に取り付けられ、前記光源は、前記第１及び第２表示板を介在して対向して配置され前記第１及び第２表示板に光を供給し、前記第１電圧と前記第２電圧の差によって点滅して、前記第１表示板及び前記第２表示板に光を供給するものであり、前記光源の一部は、前記第１表示板にのみ光を供給することを特徴とする。
【００１９】
前記第１電圧は前記第２電圧より大きいことが好ましい。
前記光源は、発光ダイオードであることが好ましい。
前記第１電圧は、前記発光ダイオードの一側端子に共通に伝達され、前記第２電圧は、前記発光ダイオードの他側端子にそれぞれ伝達され、前記光源制御部は、前記表示板選択信号に基づいて前記各発光ダイオードの他側端子に印加する前記第２電圧の供給状態を制御することが好ましい。
【００２０】
また、上記目的を達成するためになされた本発明による表示装置の駆動方法は、少なくとも二つの表示板と、前記表示板を介在して対向して配置され前記表示板に光を供給する複数の光源を備える表示装置の駆動方法であって、外部からの表示板選択信号を読み取る段階と、前記表示板選択信号に基づいて前記少なくとも二つの表示板のうちの一つの表示板を選択する段階と、前記選択された表示板に基づいて所定の光源を選択する段階と、前記選択された光源を点灯させて、前記表示板の少なくとも各一側面の方向から光を供給する段階とを有することを特徴とする。
【００２１】
前記表示板は第１表示板と第２表示板とを有し、前記第１表示板は前記第２表示板より大きいことが好ましい。
前記所定の光源を選択する段階は、前記表示板選択信号に基づいて選択された表示板が前記第１表示板である場合、前記第１表示板の相互に対向する両側面の方向から光を供給することが好ましい。
【００２２】
また、上記目的を達成するためになされた本発明による表示装置は、第１表示板及び第２表示板と、前記第１表示板及び第２表示板をそれぞれ介在して対向して配置され前記表示板に光を供給する複数の光源を備える表示装置であって、前記表示装置の開閉程度によって出力信号が変化する開閉感知部と、前記開閉感知部からの信号に基づいて前記第１表示板及び第２表示板のうちの一つの表示板を選択し、前記選択された表示板によって点灯する光源を選択し、前記選択された光源を点灯させて、前記第１表示板及び第２表示板の少なくとも各一側面の方向から光を供給する光源制御部とを備えることを特徴とする。
【００２３】
前記第１表示板は前記第２表示板より大きく、前記光源制御部は、前記開閉感知部からの信号によって選択された表示板が前記第１表示板である場合、前記第１表示板の相互に対向する両側面の方向から光を供給することが好ましい。
前記表示装置は、携帯電話用であることが好ましい。
前記光源は、発光ダイオードであることが好ましい。
【００２４】
また、上記目的を達成するためになされた本発明による表示装置は、少なくとも二つの表示板と、前記表示板を介在して対向して配置され前記表示板に光を供給する複数の光源を備える表示装置であって、外部から印加され、前記表示板のうちの一つの表示板を選択する表示板選択信号の状態によって前記光源に印加する信号を変更して前記光源から出射される光の強さを変化させ、前記少なくとも二つの表示板の少なくとも各一側面の方向から光を供給する光源制御部を備えることを特徴とする。
【００２５】
前記光源制御部は、前記複数の光源のうちの所定の光源を選択した後、前記選択された所定光源以外の光源に印加する信号の大きさを変更して前記光の強さを変化させることが好ましい。
前記光源制御部は、前記複数の光源のうちの所定の光源を選択した後、前記選択された所定の光源のみを点灯させて、前記光の強さを変化させることが好ましい。
前記表示板は第１表示板と第２表示板とを有し、前記第１表示板は前記第２表示板より大きいことが好ましい。
前記選択された所定の光源は、前記第１表示板を介在して互いに対向するよう位置することが好ましい。
前記光源は、発光ダイオードであることが好ましい。
【発明の効果】
【００２６】
本発明に係る表示装置及びその駆動方法によれば、メイン表示板及びサブ表示板を有する複数の表示板を備えたデュアル表示装置において、メイン表示板より大きさが小さいサブ表示板によってのみ表示が行われる場合には、メイン表示板を介在して対向する両側面に位置する発光ダイオード群のうちの一側発光ダイオード群のみ点灯させる。これにより、多くの光量を必要としないとき、点灯する光源の個数を減らして消費電力を減少させると共に、メイン表示板においては、両側面に位置する発光ダイオードが全て発光し、高輝度の画像を実現することができるという効果がある。
【発明を実施するための最良の形態】
【００２７】
次に、本発明に係る表示装置及びその駆動方法を実施するための最良の形態の具体例を図面を参照しながら説明する。
【００２８】
図面は、各種層及び領域を明確に表現するために、厚さを拡大して示している。明細書全体を通じて類似した部分については同一の参照符号を付けている。層、膜、領域、板などの部分が、他の部分の“上に”あるとする時、これは他の部分の“すぐ上に”ある場合に限らず、その中間に更に他の部分がある場合も含む。逆に、ある部分が他の部分の“すぐ上に”あるとする時、これは中間に他の部分がない場合を意味する。
【００２９】
以下、本発明の実施形態に係る平板表示装置の一例である液晶表示装置、特に、メイン表示窓とサブ表示窓を有する携帯電話のデュアル液晶表示装置について図面を参照して詳細に説明する。
図１は、本発明の一実施形態に係るデュアル液晶表示装置の分解斜視図であり、図２は、本発明の一実施形態に係るデュアル液晶表示装置のメイン表示板の液晶表示装置のブロック図であり、図３は、本発明の一実施形態に係るメイン表示板の液晶表示装置の一つの画素に対する等価回路図である。また、図４は、本発明の一実施形態に係る印刷回路基板及び光源用印刷回路基板に形成された信号線と光源用ＦＰＣ（Ｆｌｅｘｉｂｌｅ  Ｐｒｉｎｔｅｄ  Ｃｉｒｃｕｉｔ）基板に形成された信号線の間の接続関係を概略的に示した図である。図５は、本発明の一実施形態に係る光源の概略回路図である。図６（Ａ）及び図６（Ｂ）は、各々本発明の一実施形態に係るメイン表示板及びサブ表示板と発光ダイオードの位置関係を示す図である。
【００３０】
図１に示すように、本発明の一実施形態に係るデュアル液晶表示装置１００は、メイン表示板３３０ａ及びサブ表示板３３０ｂと、バックライト部９００を備える液晶モジュール３１０と、液晶モジュール３１０を収納する上部及び下部シャーシ３６１、３６２、モールドフレーム３３６、複数の可撓性印刷回路（ＦＰＣ：Ｆｌｅｘｉｂｌｅ  Ｐｒｉｎｔｅｄ  Ｃｉｒｃｕｉｔ）基板３５０、３６０、３７０、並びに印刷回路基板６１０を備える。
【００３１】
メイン表示板３３０ａは、メイン液晶表示板組立体３００ａと、メイン液晶表示板組立体３００ａ上に装着されている統合チップ６２０と、統合チップ６２０の縁に形成された保護膜６５０とを有する。
サブ表示板３３０ｂは、サブ液晶表示板組立体３００ｂを有する。
そして、メイン表示板３３０ａは、サブ表示板３３０ｂより大きい。
メイン液晶表示板組立体３００ａ及びサブ液晶表示板組立体３００ｂはいずれも下部表示板１００ａ、１００ｂ及び上部表示板２００ａ、２００ｂと、その間に入っている液晶層３とを備える。
【００３２】
メイン液晶表示板組立体３００ａとサブ液晶表示板組立体３００ｂは同一構造を有するので、図２を参照して、メイン液晶表示板組立体３００ａについてのみ説明する。
下部表示板１００ａは、複数の表示信号線Ｇ１−Ｇｎ、Ｄ１−Ｄｍを有し、下部及び上部表示板１００ａ、２００ａは、表示信号線Ｇ１−Ｇｎ、Ｄ１−Ｄｍに接続されほぼ行列状にに配列された複数の画素を有する。
表示信号線Ｇ１−Ｇｎ、Ｄ１−Ｄｍは、ゲート信号（走査信号とも言う。）を伝達する複数のゲート線Ｇ１−Ｇｎと、データ信号を伝達するデータ線Ｄ１−Ｄｍを有する。ゲート線Ｇ１−Ｇｎはほぼ行方向に延びて互いにほぼ平行であり、データ線Ｄ１−Ｄｍはほぼ列方向に延びて互いにほぼ平行である。
【００３３】
各画素は、表示信号線Ｇ１−Ｇｎ、Ｄ１−Ｄｍに接続されたスイッチング素子Ｑと、これに接続された液晶キャパシタＣＬＣ及びストレージキャパシタＣＳＴを備える。ストレージキャパシタＣＳＴは、必要に応じて省略することができる。
薄膜トランジスタなどスイッチング素子Ｑは、下部表示板１００に備えられ、三端子素子としてその制御端子及び入力端子は、それぞれゲート線Ｇ１−Ｇｎ及びデータ線Ｄ１−Ｄｍに接続され、出力端子は、液晶キャパシタＣＬＣ及びストレージキャパシタＣＳＴに接続されている。
【００３４】
図３を参照すると、液晶キャパシタＣＬＣは、下部表示板１００の画素電極１９０と上部表示板２００の共通電極２７０を二つの端子とし、二つの電極１９０、２７０の間の液晶層３は誘電体として機能する。画素電極１９０は、スイッチング素子Ｑに接続され、共通電極２７０は、上部表示板２００の全面に形成され共通電圧Ｖｃｏｍの印加を受ける。図３とは異なって、共通電極２７０が下部表示板１００ａに具備される場合もあり、その場合には、二つの電極１９０、２７０のうちの少なくとも一つが線形または棒形に作られる。
【００３５】
液晶キャパシタＣＬＣの補助的な役割を果たすストレージキャパシタＣＳＴは、下部表示板１００ａに具備された別個の信号線（図示せず）と画素電極１９０が絶縁体を介在して重畳してなり、この別個の信号線には、共通電圧Ｖｃｏｍなどの定められた電圧が印加される。また、ストレージキャパシタＣＳＴは、画素電極１９０が絶縁体を媒介としてすぐ上の前段ゲート線と重畳してなることができる。
一方、色表示を実現するため、各画素が色相を表示できる必要があるが、、これは画素電極１９０に対応する領域に三原色、例えば赤色、緑色、または青色のカラーフィルタ２３０を備えることによって可能である。図２で、カラーフィルタ２３０が上部表示板２００に形成されているが、これとは異なって、下部表示板１００の画素電極１９０の上または下に形成することもできる。
メイン液晶表示板組立体３００ａの二つの表示板１００ａ、２００ａのうちの少なくとも一つの外表面には、光を偏光する偏光子（図示せず）が付着されている。
【００３６】
ゲート駆動部４００は、複数のゲート線Ｇ１−Ｇｎに接続されており、外部からのゲートオン電圧（Ｖｏｎ）とゲートオフ電圧（Ｖｏｆｆ）の組み合わせからなるゲート信号をゲート線Ｇ１−Ｇｎに印加する。ゲート駆動部４００は、スイッチング素子Ｑ及び表示信号線Ｇ１−Ｇｎ、Ｄ１−Ｄｍと共にメイン液晶表示板組立体３００ａの下部表示板１００ａに直接形成されている。
図１に示すように、統合チップ６２０は、メイン液晶表示板組立体３００ａの下部表示板１００ａ上に直接取り付けられ（ＣＯＧ実装方式：ｃｈｉｐ  ｏｎ  ｇｌａｓｓ  ）、図２に示すように、信号制御部６００、信号制御部６００に接続されたデータ駆動部５００、データ駆動部５００に接続された階調電圧生成部８００などを備える。
【００３７】
階調電圧生成部８００は、画素の透過率に関連する二組の複数階調電圧を生成する。そのうちの一組は共通電圧Ｖｃｏｍに対してプラスの値を有し、もう一組はマイナスの値を有する。
データ駆動部５００は、メイン液晶表示板組立体３００ａのデータ線Ｄ１−Ｄｍに接続され、階調電圧生成部８００からの階調電圧を選択してデータ信号として画素に印加する。
信号制御部６００は、バックライト部９００に接続され、ゲート駆動部４００及びデータ駆動部５００などの動作を制御する。
【００３８】
図１、図２、及び図４〜図６に示すように、バックライト部９００は、モールドフレーム３３６の短辺の一周縁付近に固定され、メイン液晶表示板組立体３００ａとサブ液晶表示板組立体３００ｂに光を供給する光源部９１０、統合チップ６２０の信号制御部６００に接続され、携帯電話の開閉程度を感知する開閉感知部９６０、開閉感知部９６０と光源部９１０に接続された光源制御部９７０、光源部９１０が実装されている光源用印刷回路基板９５０、光源部９１０からの光をメイン液晶表示板組立体３００ａ及びサブ液晶表示板組立体３００ｂ側に案内し、光の強さを均一にする導光板３４１、導光板３４１の下上側にそれぞれ装着され、光の輝度特性を確保する複数の光学シート３４２ａ、３４２ｂを備える。
【００３９】
光源部９１０は、複数の発光ダイオードＬ１−Ｌ６を備える。図１では光源部９１０に装着された発光ダイオードＬ１−Ｌ６の数は６個であるが、必要に応じて変更可能である。
図６（Ａ）、（Ｂ）に示すように、光源用印刷回路基板９５０上で、発光ダイオードＬ１−Ｌ６がメイン表示板３３０ａの一側周縁の全面に行方向に並んで装着され、サブ表示板３３０ｂの一側周縁の中心部に対して左右対称に行方向に並んで装着されている。
開閉感知部９６０は、携帯電話の本体（図示せず）とデュアル液晶表示装置１００を接続する接続部（図示せず）などに装着され、携帯電話のデュアル液晶表示装置の開閉程度によって抵抗値などが変わって出力電圧が変化する感知素子を備える。このような開閉感知部９６０の装着位置や動作特性は変更可能である。
【００４０】
光源制御部９７０は、開閉感知部９６０からの電圧によって光源部９１０の動作を制御し、印刷回路基板６１０上に集積することができる。
複数のＦＰＣ基板３５０、３６０、３７０は、統合チップ６２０と印刷回路基板６１０を接続するメインＦＰＣ基板３５０、メイン液晶表示板組立体３００ａとサブ液晶表示板組立体３００ｂを接続するサブＦＰＣ基板３６０、並びに光源用印刷回路基板９５０と印刷回路基板６１０を接続する光源用ＦＰＣ基板３７０を有する。
【００４１】
図４に示すように、メインＦＰＣ基板３５０及び光源用ＦＰＣ基板３７０には、複数の信号線３５１、３７１−３７７が形成されている。
信号線３５１は、接触部６１９を通じて印刷回路基板６１０に形成された複数のリード線６２１にそれぞれ接続され、信号線３７１−３７７は、接触部６１９を通じて印刷回路基板６１０に形成されたリード線６２２にそれぞれ接続され、接触部９５９を通じて光源用印刷回路基板９５０に形成されたリード線９５１−９５７にそれぞれ接続されている。
信号線３５１、３７１−３７７は、統合チップ６２０の動作に必要な電圧、制御信号及びデータなどを伝達する信号線３５１、光源部９１０の各発光ダイオードＬ１−Ｌ６に駆動信号を伝達する信号線３７１−３７７を有する。
【００４２】
印刷回路基板６１０、光源用ＦＰＣ基板３７０及び光源用印刷回路基板９５０には、制御信号及びデータなどを伝達する複数のリード線及び信号線などがさらに備えられ、これらの数は必要によって変更できる。
図示しないが、サブＦＰＣ基板３６０にも複数の信号線が形成されており、これらの信号線を通じてメイン液晶表示板組立体３００ａからのデータ信号や制御信号などをサブ液晶表示板組立体３００ｂに伝達する。
上部シャーシ３６１及び下部シャーシ３６２はそれぞれ窓３６５、３６６を備え、印刷回路基板６１０も窓６１５を備えている。
窓３６５を通じてメイン液晶表示板組立体３００ａの表示領域が外部に露出する。
【００４３】
サブ液晶表示板組立体３００ｂには、窓３６６を通じて光源部９１０からの光が伝達され、窓６１５を通じてサブ液晶表示板組立体３００ｂの表示領域が外部に露出する。
印刷回路基板６１０には、複数のリード線６２１、６２２と接続されている複数の回路要素が装着され、これらのリード線６２１、６２２以外に外部装置からの信号が伝達される複数のリード線が形成されている。
上部シャーシ３６１及び下部シャーシ３６２はそれぞれモールドフレーム３３６の上下部に結合され、液晶モジュール３１０を内部に収納してデュアル液晶表示装置１００を作製する。
【００４４】
次に、このようなデュアル液晶表示装置１００の表示動作について詳細に説明する。
統合チップ６２０の信号制御部６００は、外部のグラフィック制御部（図示せず）から印刷回路基板６１０のリード線６２１とメインＦＰＣ基板３５０の信号線３５１を通じて入力映像信号Ｒ、Ｇ、Ｂ及びその表示を制御する入力制御信号、例えば垂直同期信号Ｖｓｙｎｃと水平同期信号Ｈｓｙｎｃ、メインクロックＭＣＬＫ、データイネーブル信号ＤＥなどの提供を受ける。また、信号制御部６００は、バックライト部９００の開閉感知部９６０からデュアル液晶表示装置１００を有する携帯電話等の開閉程度に応じて信号の印加を受ける。
【００４５】
信号制御部６００は、開閉感知部９６０からの信号によってメイン液晶表示板組立体３００ａとサブ液晶表示板組立体３００ｂのいずれか一方の液晶表示板組立体を選択した後、選択された液晶表示板組立体の動作条件に合うように入力映像信号Ｒ、Ｇ、Ｂと入力制御信号に基づいて入力映像信号Ｒ、Ｇ、Ｂを適切に処理し、ゲート制御信号ＣＯＮＴ１及びデータ制御信号ＣＯＮＴ２などを生成した後、次いで、信号制御部６００は、ゲート制御信号ＣＯＮＴ１をゲート駆動部４００に送信し、データ制御信号ＣＯＮＴ２及び処理した映像信号ＤＡＴをデータ駆動部５００に送信する。
これとは異なって、信号制御部６００は、開閉感知部９６０以外の他の回路要素を用いたり、他の方法を利用してメイン液晶表示板組立体３００ａとサブ液晶表示板組立体３００ｂのうちの一つを選択することもできる。
【００４６】
ゲート制御信号ＣＯＮＴ１は、ゲートオン電圧（Ｖｏｎ）の出力開始を指示する垂直同期開始信号ＳＴＶ、ゲートオン電圧（Ｖｏｎ）の出力時期を制御するゲートクロック信号ＣＰＶ及びゲートオン電圧（Ｖｏｎ）の持続時間を限定する出力イネーブル信号ＯＥなどを有する。
データ制御信号ＣＯＮＴ２は、映像データＤＡＴの転送開始を知らせる水平同期開始信号ＳＴＨと、データ線Ｄ１−Ｄｍにデータ電圧の印加を指示するロード信号ＬＯＡＤ、共通電圧Ｖｃｏｍに対するデータ電圧の極性（以下、共通電圧に対するデータ電圧の極性を略してデータ電圧の極性と言う。）を反転させる反転信号ＲＶＳ、及びデータクロック信号ＨＣＬＫなどを有する。
データ駆動部５００は、信号制御部６００からのデータ制御信号ＣＯＮＴ２によって一行の画素に対する映像データＤＡＴを順次に受信し、階調電圧生成部８００からの階調電圧のうちの各映像データＤＡＴに対応する階調電圧を選択することによって映像データＤＡＴを該当データ電圧に変換した後、これをメイン液晶表示板組立体３００ａやサブ液晶表示板組立体３００ｂの該当するデータ線Ｄ１−Ｄｍに印加する。
【００４７】
選択されたメイン液晶表示板組立体３００ａやサブ液晶表示板組立体３００ｂのゲート駆動部４００は、信号制御部６００からのゲート制御信号ＣＯＮＴ１によってゲートオン電圧（Ｖｏｎ）をゲート線Ｇ１−Ｇｎに印加し、このゲート線Ｇ１−Ｇｎに接続されたスイッチング素子Ｑを導通させ、これによってデータ線Ｄ１−Ｄｍに印加されたデータ電圧が導通したスイッチング素子Ｑを通じて該当画素に印加される。
この時、選択されない液晶表示板組立体３００ａまたは３００ｂのデータ線には、信号制御部６００や別途他の装置から供給されるブラック用データ電圧を印加することもできる。
画素に印加されたデータ電圧と共通電圧Ｖｃｏｍの差は、液晶キャパシタＣＬＣの充電電圧、つまり画素電圧として現れる。液晶分子は画素電圧の大きさによってその配列が異なる。
【００４８】
バックライト部９００は、開閉感知部９６０からの信号に基づいて光源部９１０の点滅を制御する。次に、このようなバックライト部９００の動作を説明する。
バックライト部９００の動作により、光源部９１０から発する光が液晶層３を通過しながら液晶分子の配列によってその偏光が変化する。このような偏光の変化は、偏光子によって光透過率の変化として現れる。
１水平周期（または１Ｈ）（水平同期信号Ｈｓｙｎｃ、データイネーブル信号ＤＥ、ゲートクロックＣＰＶの一周期）が経過すると、データ駆動部５００とゲート駆動部４００が次行の画素に対して同じ動作を繰り返す。このような方法で、１フレーム期間中に全ゲート線Ｇ１−Ｇｎに対して順次にゲートオン電圧（Ｖｏｎ）を印加し、全画素にデータ電圧を印加する。１フレームが終了すれば次のフレームが開始され、各画素に印加されるデータ電圧の極性が直前フレームでの極性と逆になるように、データ駆動部５００に印加される反転信号ＲＶＳの状態が制御される（フレーム反転）。この時、１フレーム内でも反転信号ＲＶＳの特性によって一データ線を通じて流れるデータ電圧の極性が変化したり（行反転、ドット反転）、一画素行に印加されるデータ電圧の極性も互いに異なることがある（列反転、ドット反転）。
【００４９】
以下、本発明の一実施形態に係るバックライト部９００の動作を図２、図４〜図７を参照して詳細に説明する。
図７は、本発明の一実施形態に係る光源制御部９７０の動作フローチャートであり、図６は、本発明の一実施形態に係るメイン表示板を選択するときと、サブ表示板を選択するときに点灯する発光ダイオードを示す図である。
【００５０】
既に説明したように、光源部９１０は、複数の発光ダイオードＬ１−Ｌ６を有し、これら発光ダイオードＬ１−Ｌ６の一側端子である（＋）端子は光源制御部９７０に接続された共通端子Ａに接続されており、残りの端子である（−）端子は光源制御部９７０に個別的に接続された端子Ｂ１−Ｂ６にそれぞれ接続されている。
【００５１】
次に、このようなバックライト部９００の動作を説明する。
動作が開始されれば（ステップＳ１００）、光源制御部９７０は出力端子Ａによって発光ダイオードＬ１−Ｌ６の動作に必要な電圧、例えば約３．３Ｖの電圧を発光ダイオードＬ１−Ｌ６の（＋）端子に供給する。即ち、印刷回路基板６１０のリード線６１１を通じて伝達された電圧が、接触部６１９を経て光源用ＦＰＣ基板３７０の信号線３７１によって光源用ＰＣＢ９２０の信号線９５１に伝達され、全発光ダイオードＬ１−Ｌ６の（＋）端子に供給される。
しかし、出力端子Ｂ１−Ｂ６には電圧が供給されず、発光ダイオードＬ１−Ｌ６によって電流が流れないので、発光ダイオードＬ１−Ｌ６は消灯される。
【００５２】
次に、光源制御部９７０は開閉感知部９６０からの信号を読み取り（ステップＳ１０１）、携帯電話の開閉程度を判断する（ステップＳ１０２）。
開閉感知部９６０からの電圧が設定電圧より大きい場合、光源制御部９７０は、携帯電話のデュアル液晶表示装置１００が本体から設定量以上開いた状態と判断し、メイン表示板３３０ａに画像を表示している状態と判断する。これにより、光源制御部９７０は、光源部９１０の発光ダイオードＬ１−Ｌ６を全て点灯させる。
そのために、光源制御部９７０は、印刷回路基板６１０のリード線６１２−６１７とＦＰＣ基板３７０の信号線３７２−３７７によって光源用印刷回路基板９５０のリード線９５２−９５７それぞれに接地電圧を供給する。
これにより、発光ダイオードＬ１−Ｌ６が点灯し（ステップＳ１０３）、メイン液晶表示板組立体３００ａとサブ液晶表示板組立体３００ｂの両方に同時に光が伝達される。この時、サブ液晶表示板組立体３００ｂは、ゲート駆動部からゲートオン電圧（Ｖｏｎ）がゲート線に伝達されない。その結果、メイン液晶表示板組立体３００ａのデータ電圧が印加されても、サブ表示板３３０ｂに画像は表示されない。
【００５３】
次に、光源制御部９７０は継続して開閉感知部９６０からの信号を読み取り、携帯電話のデュアル液晶表示装置１００が閉じた状態であるか否かを判断する（ステップＳ１０１、ステップＳ１０２）。
開閉感知部９６０からの出力電圧の大きさが設定電圧以下である場合、光源制御部９７０は、携帯電話のデュアル液晶表示装置１００が閉じた状態と判断する。即ち、サブ表示窓３３０ｂによって画像を表示している状態と判断する。
すると光源制御部９７０は、一定時間、光源部９１０の決められた個数の発光ダイオードのみを点灯し、その他の発光ダイオードは消灯する（ステップＳ１０４、ステップＳ１０５）。この時、図６に示すように、サブ表示窓３３０ｂの周縁に対応する位置の発光ダイオードＬ２−Ｌ５は点灯させ、周縁から遠く位置する発光ダイオードＬ１、Ｌ６は消灯させることができる。
【００５４】
発光ダイオードＬ２−Ｌ５の点灯により、メイン液晶表示板組立体３００ａとサブ液晶表示板組立体３００ｂの両方に光を供給する。
この時、メイン液晶表示板組立体３００ｂは、ゲート駆動部４００からゲートオン電圧（Ｖｏｎ）がゲート線に伝達されないので、サブ液晶表示板組立体３００ａのデータ電圧が印加されても、メイン表示板３３０ａには画像が表示されない。ここで、点灯／消灯する発光ダイオードの個数及び位置は、サブ表示窓３３０ｂの大きさ及び形態などを考慮して変更可能である。
そのため、光源制御部９７０は、該当発光ダイオードＬ１、Ｌ６の（−）端子に接続された信号線６１２、６１７への電圧供給を中止し、出力端子Ｂ１、Ｂ６に供給される接地電圧を遮断する。
この時、光源制御部９７０は、その他の信号線６１３−６１６への電圧供給を維持し、その他の出力端子Ｂ２−Ｂ５には継続して接地電圧が印加される。
そして、一定時間経過後、選択された発光ダイオードＬ２−Ｌ５を消灯し、動作を終える（ステップＳ１０６、ステップＳ１５０）。
【００５５】
このように、メイン表示板３３０ａより大きさが小さいサブ表示板３３０ｂにのみ表示が行なわれる場合、全ての発光ダイオードを点灯させるのではなく、決められた個数の一部の発光ダイオードのみを点灯させ、選択された表示窓の大きさによって光源部の強さを変化させるので、不要な電力消費を低減することができる。
【００５６】
他の方法としては、一部の光源、例えばサブ表示板３３０ｂの一側周縁に対応する発光ダイオードに印加される駆動電圧の大きさを一定に維持し、その他の一部の光源、例えば周縁から遠く位置する発光ダイオードに印加される駆動電圧の大きさを減少させて、光源部の強さを変化させることもできる。そして、サブ表示板３３０ｂが選択された場合、光源、例えば発光ダイオードＬ１−Ｌ６それぞれに印加される駆動電圧の大きさを減少させて、光源部の強さを変化させることもできる。
【００５７】
本発明の実施形態によれば、メイン表示板とサブ表示板のような複数の表示板を備えるデュアル表示装置において、メイン表示板より大きさが小さいサブ表示板にのみ表示が行われる場合には、所定個数の光源の強さを変化させる。これにより、多くの光量を必要としないとき、光源で消費される電力が減少し、表示装置全体の電力消耗が減少する。
【００５８】
次に、図８〜図１２を参照して本発明の他の実施形態について説明する。
図８は、本発明の他の実施形態に係るデュアル液晶表示装置の分解斜視図であり、図９は、本発明の他の実施形態に係るデュアル表示装置のメイン表示板の駆動ブロック図である。
【００５９】
本発明の他の実施形態に係るデュアル液晶表示装置は、図１〜図７に示した本発明の一実施形態に係るデュアル液晶表示装置と異なって、複数の発光ダイオードＬ１−Ｌ６を有する光源部（第１光源部）９１０以外に、複数の発光ダイオードＬ７−Ｌ１２を有するその他の光源部（第２光源部）９２０を備える。そのため、第１発光ダイオード群（第１光源部）９１０が実装される光源用印刷回路基板（第１印刷回路基板）９５０以外に、その他の第２発光ダイオード群（第２光源部）９２０が実装される光源用印刷回路基板（第２印刷回路基板）９８０をさらに備えている。
【００６０】
図８に示すように、光源用印刷回路基板（第１印刷回路基板）９５０は、モールドフレーム３３６の一端部、つまり短辺の一端部付近に装着され、他の光源用印刷回路基板（第２印刷回路基板）９８０は、光源用印刷回路基板（第１印刷回路基板）９５０と対向する位置、つまりモールドフレーム３３６の対向する短辺の端部付近に装着されている。
また、複数の可撓性印刷回路基板３５０、３６０、３７０以外に、追加されたその他の第２発光ダイオード群（第２光源部）９２０とメイン印刷回路基板６１０間の信号やデータなどの転送のために第２光源用ＦＰＣ基板３８０が形成されている。
図１を参照して既に説明したように、上部シャーシ３６１及び下部シャーシ３６２の開口部３６５、３６６を通じてそれぞれメイン液晶表示板組立体３００ａ及びサブ液晶表示板組立体３００ｂの表示領域が外部に露出する。メイン液晶表示板組立体３００ａは、光源部９１０、９２０である第１発光ダイオード群（第１光源部）９１０及び第２発光ダイオード群（第２光源部）９２０から光の供給を受けて画像を表示し、サブ液晶表示板組立体３００ｂは、第１発光ダイオード群（第１光源部）９１０から光の供給を受けて画像を表示する。
【００６１】
図８に示すように、第１発光ダイオード群（第１光源部）９１０、第２発光ダイオード群（第２光源部）９２０は、Ｙ軸に沿ってモールドフレーム３３６の両端に固定され、メイン表示板３００ａ及びサブ表示板３００ｂの少なくとも各一側面に光を供給する。同図に示すように、光源には複数の発光ダイオードを有する第１発光ダイオード群（第１光源部）９１０、Ｌ１−Ｌ６、及び第２発光ダイオード群（第１光源部）９２０、Ｌ７−Ｌ１２を有する。既に前述したように、発光ダイオードは本発明に係る光源を示す例であり、本発明がこれに限定されるものではない。従って、ランプを使用したり、構造を変形した面光源または線光源形態の発光ダイオードを使用することもできる。また、発光ダイオードの個数においても、ここで示す個数に限定されるわけではない。
上記したような構造的な特徴以外の図８及び図９に示すデュアル液晶表示装置の分解斜視図の構造及びブロック図は、図１及び図２に示したデュアル液晶表示装置の分解斜視図及びブロック図と同様であるので、詳細な説明は省略する。
【００６２】
次に、図１０を参照してメイン印刷回路基板６１０と光源用印刷回路基板（第１印刷回路基板）９５０、光源用印刷回路基板（第２印刷回路基板）９８０に形成された信号線と、これら信号線間の接続関係をより詳細に説明する。
図１０は、本発明の他の実施形態に係るメイン印刷回路基板及び光源用印刷回路基板に形成された信号線と、光源用ＦＰＣに形成された信号線間の接続関係を概略的に示したものである。
同図に示すように、メインＦＰＣ基板３５０、第１光源用ＦＰＣ基板３７０及び第２光源用ＦＰＣ基板３８０には、複数の信号線３５１、３７１−３７７、３８１−３８７が形成されている。
図４を参照して既に説明したように、図１０の左側上部に示す信号線３５１は、接触部６１９を通じてメイン印刷回路基板６１０に形成された複数のリード線６２１にそれぞれ接続されている。
【００６３】
また、図１０の左側下部に示す信号線３７１−３７７は、接触部６１９を通じてメイン印刷回路基板６１０に形成されたリード線６２２にそれぞれ接続され、その反対側の接触部９５９を通じて光源用印刷回路基板（第１印刷回路基板）９５０に形成されたリード線９５１−９５７にそれぞれ接続されている。
これと同様に、図１０の右側に示す第２光源用ＦＰＣ基板３８０上の信号線３８１−３８７は、接触部６１９を通じてメイン印刷回路基板６１０に形成されたリード線６４２にそれぞれ接続され、接触部９５９を通じてその反対側の光源用印刷回路基板（第２印刷回路基板）９８０に形成されたリード線９６１−９６７にそれぞれ接続されている。
【００６４】
信号線３５１、３７１−３７７、３８１−３８７は、統合チップ６２０の動作に必要な電圧、制御信号及びデータなどを伝達する信号線３５１と、第１発光ダイオード群（第１光源部）９１０、第２発光ダイオード群（第２光源部）９２０の各発光ダイオードＬ１−Ｌ１２に駆動信号を伝達する信号線３７１−３７７、３８１−３８７を有する。メイン印刷回路基板６１０、第１、第２光源用ＦＰＣ基板３７０、３８０及び光源用印刷回路基板（第１印刷回路基板、第２印刷回路基板）９５０、９８０には、制御信号とデータなどを伝達する複数のリード線と信号線などがさらに備えられることができるので、これら数は必要によって変わる。メイン印刷回路基板６１０には、複数のリード線６２１、６２２、６４２と接続された複数の回路要素が装着され、これらリード線６２１、６２２、６４２以外に外部装置から信号の伝達を受ける複数のリード線が形成されている。図示しないが、サブＦＰＣ基板３６０にも複数の信号線が形成され、これら信号線を通じてメイン液晶表示板組立体３００ａからのデータ信号や制御信号などをサブ液晶表示板組立体３００ｂに伝達する。
このようなデュアル液晶表示装置の動作は、図１〜図３を参照して説明したデュアル液晶表示装置の動作と同様であるので、詳細な説明は省略する。
【００６５】
次に、上記で説明した図１０と、図１１及び図１２を参照して、本発明の他の実施形態に係る第１発光ダイオード群（第１光源部）９１０、第２発光ダイオード群（第２光源部）９２０の動作を詳細に説明する。
図１１は、本発明の一実施形態に係る光源の概略回路図である。図１２（Ａ）は、本発明の一実施形態に係るメイン表示板を選択する際に点灯する発光ダイオードを示し、図１２（Ｂ）は、本発明の一実施形態に係るサブ表示板を選択する際に点灯する発光ダイオードを示す図である。
【００６６】
図１１に示すように、第１発光ダイオード群（第１光源部）９１０、第２発光ダイオード群（第２光源部）９２０は、それぞれ複数の発光ダイオードＬ１−Ｌ６、Ｌ７−Ｌ１２を備え、これら発光ダイオードＬ１−Ｌ１２の一側端子である（＋）端子は、光源制御部９７０に接続された共通端子Ａに接続されており、もう一つの端子である（−）端子は、光源制御部９７０に個別的に接続された端子Ｂ１−Ｂ１２にそれぞれ接続されている。
【００６７】
このような接続構造を有する第１発光ダイオード群（第１光源部）９１０、第２発光ダイオード群（第２光源部）９２０を点滅するための光源制御部９７０の動作は、図７に示した動作フローチャートと同様である。
即ち、動作が開始されれば（ステップＳ１００）光源制御部９７０は、出力端子Ａを通じて発光ダイオードＬ１−Ｌ１２の動作に必要な電圧、例えば約３．３Ｖの電圧を発光ダイオードＬ１−Ｌ１２の（＋）端子に供給する。
図１０を参照してより詳細に説明すれば、メイン印刷回路基板６１０のリード線６１１を通じて伝達される電圧は、接触部６１９を経て第１、第２光源用ＦＰＣ基板３７０、３８０のそれぞれの信号線３７１、３８１によって光源用印刷回路基板（第１印刷回路基板、第２印刷回路基板）９５０、９８０の信号線９５１、９６１に伝達され、全発光ダイオードＬ１−Ｌ１２の（＋）端子に供給される。しかし、出力端子Ｂ１−Ｂ１２には電圧が供給されないため、発光ダイオードＬ１−Ｌ１２を介して電流が流れず、発光ダイオードＬ１−Ｌ１２は消灯される。
【００６８】
次に、光源制御部９７０は開閉感知部９６０からの信号を読み取り（ステップＳ１０１）、表示装置、例えば携帯電話の開閉程度を判断する（ステップＳ１０２）。
開閉感知部９６０からの電圧が設定電圧より大きい場合、光源制御部９７０は、携帯電話のデュアル液晶表示装置が本体から設定量以上開いた状態と判断し、メイン表示板３３０ａ（図８参照、以下同様である。）に画像を表示する状態と判断する。
これにより、光源制御部９７０は、第１発光ダイオード群（第１光源部）９１０、第２発光ダイオード群（第２光源部）９２０の発光ダイオードＬ１−Ｌ１２を全て点灯させる。そのために光源制御部９７０は、メイン印刷回路基板６１０のリード線６１２−６１７、６３２−６３７と、ＦＰＣ基板３７０、３８０の各信号線３７２−３７７、３８２−３８７を通じて光源用印刷回路基板（第１印刷回路基板、第２印刷回路基板）９５０、９８０のリード線９５２−９５７、９６２−９６７それぞれに接地電圧を供給する。
【００６９】
その結果、発光ダイオードＬ１−Ｌ１２が点灯され（ステップＳ１０３）、メイン液晶表示板組立体３００ａの両側から光が伝達される。この時、サブ液晶表示板組立体３００ｂにおいて、ゲート駆動部４００からゲートオン電圧（Ｖｏｎ）がゲート線Ｇ１−Ｇｎに伝達されない。従って、メイン液晶表示板組立体３００ａのデータ電圧が印加されても、サブ表示板３３０ｂには画像が表示されない。
【００７０】
次に、光源制御部９７０は継続して開閉感知部９６０からの信号を読み取り、携帯電話のデュアル液晶表示装置が閉じた状態であるか否かを判断する（ステップＳ１０１、ステップＳ１０２）。
開閉感知部９６０からの出力電圧の大きさが設定電圧以下である場合、光源制御部９７０は、携帯電話のデュアル液晶表示装置が閉じた状態と判断する。即ち、サブ表示板３３０ｂを通じて画像を表示する状態と判断する。
これにより、光源制御部９７０は、一定時間、バックライト部９００の所定の発光ダイオードのみを点灯させ、その他の発光ダイオードは消灯させる（ステップＳ１０４、ステップＳ１０５）。即ち、サブ表示板３３０ｂの一側面にのみ位置する発光ダイオードＬ１−Ｌ６だけが点灯する。この時、メイン液晶表示板組立体３００ａは、ゲート駆動部４００からゲートオン電圧Ｖｏｎがゲート線Ｇ１−Ｇｎに伝達されないので、サブ液晶表示板組立体３００ａのデータ電圧が印加されても、メイン表示板３３０ａには画像が表示されない。
【００７１】
この場合、光源制御部９７０は、該当発光ダイオードＬ７−Ｌ１２の（−）端子に接続された信号線６３２−６３７への電圧供給を中止し、出力端子Ｂ７−Ｂ１２に供給された接地電圧を遮断する。この時、光源制御部９７０は、その他の信号線６１２−６１７への電圧供給を維持するので、残りの出力端子Ｂ１−Ｂ６には継続して接地電圧が印加される。
そして、一定時間経過後、選択された発光ダイオードを消灯し、動作を終える（ステップＳ１０６、ステップＳ１５０）。
【００７２】
このように、メイン表示板３３０ａよりも大きさが小さいサブ表示板３３０ｂにのみ表示が行なわれる場合には、全発光ダイオードを点灯させるのではなく、所定の発光ダイオードのみを点灯させて消費電力を減少させる。
【００７３】
このように本発明では、複数の発光ダイオードを第１発光ダイオード群（第１光源部）９１０と第２発光ダイオード群（第２光源部）９２０に分けた後、メイン表示窓３３０ａが選択されれば、第１発光ダイオード群（第１光源部）９１０及び第２発光ダイオード群（第２光源部）９２０を全て点灯させ、サブ表示窓３３０ｂが選択されれば、第１発光ダイオード群（第１光源部）９１０のみを点灯させる。この場合、第１発光ダイオード群（第１光源部）９１０と第２発光ダイオード群（第２光源部）９２０それぞれが同時に点灯したり、消灯することができる。本発明の実施形態によれば、メイン表示板及びサブ表示板を有する複数の表示板を備えたデュアル表示装置において、メイン表示板より大きさが小さいサブ表示板を通じてのみ表示が行われる場合、メイン表示板を介在して対向する両側面に位置する発光ダイオード群のうちの一側の発光ダイオード群のみ点灯させる。これにより、多くの光量を必要としないとき、点灯する光源の個数を減らして消費電力を減少させると共に、メイン表示板においては、両側面に位置する発光ダイオードが全て発光し、高輝度の画像を実現することができる。
【００７４】
尚、本発明は、上述の実施形態に限られるものではない。本発明の技術的範囲から逸脱しない範囲内で多様に変更実施することが可能である。
【図面の簡単な説明】
【００７５】
【図１】本発明の一実施形態に係るデュアル液晶表示装置の分解斜視図である。
【図２】本発明の一実施形態に係るデュアル液晶表示装置におけるメイン表示板の液晶表示装置のブロック図である。
【図３】本発明の一実施形態に係るメイン表示板の液晶表示装置の一画素に対する等価回路図である。
【図４】本発明の一実施形態に係る印刷回路基板及び光源用印刷回路基板に形成された信号線と、光源用ＦＰＣ基板に形成された信号線間の接続関係を概略的に示す図である。
【図５】本発明の一実施形態に係る光源部の概略回路図である。
【図６】本発明の一実施形態に係る表示板と発光ダイオードの位置関係を示す図であり、（Ａ）はメイン表示板と発光ダイオード、（Ｂ）はサブ表示板と発光ダイオードの位置関係を示す図である。
【図７】本発明の一実施形態に係る光源制御部の動作フローチャートである。
【図８】本発明の他の実施形態に係るデュアル液晶表示装置の分解斜視図である。
【図９】本発明の他の実施形態に係るデュアル表示装置におけるメイン表示板の駆動ブロック図である。
【図１０】本発明の他の実施形態に係るメイン印刷回路基板及び光源用印刷回路基板に形成された信号線と、光源用可撓性印刷回路基板に形成された信号線間の接続関係を概略的に示す図である。
【図１１】本発明の他の実施形態に係る光源部の概略回路図である。
【図１２】本発明の一実施形態に係る発光ダイオードの発光状態を示す図であり、（Ａ）はメイン表示板、（Ｂ）はサブ表示板が選択された時の発光ダイオードの発光状態を示す図である。
【符号の説明】
【００７６】
３  液晶層
１００        デュアル液晶表示装置
１００ａ、１００ｂ    下部表示板
１９０        画素電極
２００ａ、２００ｂ    上部表示板
２３０        カラーフィルタ
２７０        共通電極
３００ａ      メイン液晶表示板組立体
３００ｂ      サブ液晶表示板組立体
３１０        液晶モジュール
３３０ａ      メイン表示板
３３０ｂ      サブ表示板
３３６        モールドフレーム
３４１        導光板
３４２ａ、３４２ｂ    光学シート
３５０、３６０、３７０、３８０  可撓性印刷回路（ＦＰＣ）基板
３６１、３６２    上部及び下部シャーシ
３６５、３６６、６１５    窓
４００        ゲート駆動部
５００        データ駆動部
６００        信号制御部
６１０        印刷回路基板
６２０        統合チップ
６５０        保護膜
８００        階調電圧生成部
９００        バックライト部
９１０        光源部、第１発光ダイオード群（第１光源部）
９２０        第２発光ダイオード群（第２光源部）
９６０        開閉感知部
９７０        光源制御部
９５０        光源用印刷回路基板（第１印刷回路基板）
９８０        光源用印刷回路基板（第２印刷回路基板）
【図１】
2006072371.tif 000003
【図２】
2006072371.tif 000004
【図３】
2006072371.tif 000005
【図４】
2006072371.tif 000006
【図５】
2006072371.tif 000007
【図６】
2006072371.tif 000008
【図７】
2006072371.tif 000009
【図８】
2006072371.tif 000010
【図９】
2006072371.tif 000011
【図１０】
2006072371.tif 000012
【図１１】
2006072371.tif 000013
【図１２】
2006072371.tif 000014